(57)【特許請求の範囲】
【請求項１】
電気ヒータが内蔵された床暖房パネルを敷設することによって形成される床暖房エリアの周辺部に敷設される床暖房用周辺パネルにおいて、
前記床暖房エリアから外側に引き出される前記床暖房パネルからの配線を収容する配線収容溝がパネル基材の裏面に形成されており、
前記配線収容溝には、前記配線を前記パネル基材の裏面側から収容可能な配線保持部材が装着されており、
前記パネル基材の裏面には、前記配線収容溝を除く部分に緩衝材が貼着されており、
前記配線保持部材は、その下端部が前記パネル基材の裏面と前記緩衝材の裏面との間に位置していることを特徴とする床暖房用周辺パネル。
【請求項２】
前記配線保持部材は、前記配線収容溝の幅方向内側に張り出して、前記配線収容溝に収容された配線を保持する鍔部を備えている請求項１に記載の床暖房用周辺パネル。
【請求項３】
前記配線保持部材は、前記配線収容溝に配線が収容された状態で、前記配線収容溝を閉塞する蓋部材を備えている請求項１に記載の床暖房用周辺パネル。
【請求項４】
電気ヒータが内蔵された床暖房パネルを敷設することによって形成される床暖房エリアの周辺部に敷設される床暖房用周辺パネルにおいて、
前記床暖房エリアから外側に引き出される前記床暖房パネルからの配線を収容する配線収容溝がパネル基材の裏面に形成されており、
前記配線収容溝には、前記配線を前記パネル基材の裏面側から収容可能な配線保持部材が装着されており、
前記パネル基材の裏面には、その全面を覆うように、緩衝材が貼着されており、
前記緩衝材には、前記配線収容溝に対応する部分に前記配線収容溝に沿って、スリットが形成されていることを特徴とする床暖房用周辺パネル。
【請求項５】
前記配線保持部材は、前記配線収容溝の幅方向内側に張り出して、前記配線収容溝に収容された配線を保持する鍔部を備えている請求項４に記載の床暖房用周辺パネル。
【発明の詳細な説明】
【０００１】
【発明の属する技術分野】
この発明は、電気ヒータが内蔵された床暖房パネルを敷設することによって形成される床暖房エリアの周辺部に敷設される床暖房用周辺パネルに関する。
【０００２】
【従来の技術】
例えば、捨貼工法によって床暖房フロアを施工する場合は、図１１に示すように、大引５１の上に交差するように一定間隔で複数の根太５２を配設すると共にその根太５２間に断熱材５３を配設した後、根太５２の上に捨貼合板５４を敷設した状態で、その捨貼合板５４の上に床暖房パネル６０を敷設するようになっている。
【０００３】
ところで、床暖房フロアは、その全域にわたって床暖房パネル６０が敷設されるわけではなく、同図に示すように、床暖房パネル６０を敷設することによってフロアの中央部に形成された床暖房エリアの周辺部には、電気ヒータ等が内蔵されていない床暖房用周辺パネル６１が敷設されるのが一般的である。
【０００４】
従って、図１１に示すように、床暖房エリア内に敷設された床暖房パネル６０に内蔵された電気ヒータと、壁面に取り付けられるコントローラ等とを接続するヒータ用中継ケーブルやセンサ用中継ケーブル等の配線類Ｌは、捨貼合板５４に形成された孔５４ａから床下に落とし込んだ状態で壁際まで導いたり、図１２に示すように、床暖房用周辺パネル６１が敷設される捨貼合板５４の表面に床暖房エリアから壁際に到る配線溝５４ｂを形成し、この配線溝５４ｂに配線類Ｌを収容した状態で壁際まで導いたりする方法が一般的に採用されている。
【０００５】
【発明が解決しようとする課題】
しかしながら、上述したような捨貼工法を採用する場合でも、床下に十分な作業空間を確保することができない場合には、床下における配線作業性が極めて悪くなり、床暖房フロアを効率よく施工することができないといった問題があると共に現実に床下配線を行うことができないこともある。
【０００６】
また、図１２に示すように、捨貼合板５４に形成された配線溝５４ｂに配線類Ｌを収容する場合は、施工者が、現場においてその都度捨貼合板５４に配線溝５４ｂを形成しなければならず、床暖房フロアを施工する際の工数が増えるといった問題がある。
【０００７】
さらに、集合住宅の場合は、コンクリートスラブ上に床暖房パネルを直接敷設する直貼工法を採用することで、床の仕上げ高さを低くすることが望まれているが、その場合は、上述したような配線類Ｌを導く床下空間や配線溝５４ｂを形成するような捨貼合板５４が存在しないことから配線類Ｌを壁際まで導くことができないので、現在のところ直貼工法はほとんど採用されておらず、集合住宅等のコンクリートスラブ上に床暖房フロアを施工する場合は、コンクリートスラブ上に一定間隔でころばし根太を設け、このころばし根太の上に捨貼合板を敷設した状態で、捨貼合板の上に床暖房パネルを敷設するといった方法が一般的に採用されており、依然として床の仕上げ高さを低く抑えることができないのが現状である。
【０００８】
そこで、この発明の課題は、床暖房エリアの周辺部に敷設される床暖房用周辺パネルを改良することにより、床下に十分な作業空間が確保できない場合でも、捨貼合板に配線溝を形成するといった面倒な作業を行うことなく、効率よく床暖房フロアを施工することができるようにすると共に、コンクリートスラブ上に床暖房パネルを直接敷設する直貼工法を可能にすることにある。
【０００９】
【課題を解決するための手段及びその効果】
上記の課題を解決するため、請求項１に係る発明は、電気ヒータが内蔵された床暖房パネルを敷設することによって形成される床暖房エリアの周辺部に敷設される床暖房用周辺パネルにおいて、前記床暖房エリアから外側に引き出される前記床暖房パネルからの配線を収容する配線収容溝がパネル基材の裏面に形成されており、前記配線収容溝には、前記配線を前記パネル基材の裏面側から収容可能な配線保持部材が装着されており、前記パネル基材の裏面には、前記配線収容溝を除く部分に緩衝材が貼着されており、前記配線保持部材は、その下端部が前記パネル基材の裏面と前記緩衝材の裏面との間に位置していることを特徴とする床暖房用周辺パネルを提供するものである。
【００１０】
以上のように構成された床暖房用周辺パネルでは、パネル基材の裏面に予め配線収容溝が形成されているので、前記床暖房エリアから外側に引き出される前記床暖房パネルからの配線を、この配線収容溝に収容しながら敷設していくことで、配線を床暖房エリアから壁際まで簡単に導くことができ、床暖房フロアの施工性が向上する。
【００１１】
特に、床暖房用周辺パネルにこういった配線収容溝を形成しておくことによって、コンクリートスラブ上に直接床暖房パネルを敷設する直貼工法が可能となり、従来のように、ころばし根太や捨貼合板等によって構成される床下地を形成する場合に比べて、床の仕上げ高さを低くすることができるという効果がある。
【００１２】
また、この床暖房用周辺パネルでは、前記配線を前記パネル基材の裏面側から収容可能な配線保持部材を前記配線収容溝に装着されており、一旦収容された配線が配線保持部材によって脱落しないように保持されるので、予め配線収容溝に配線を収容しておくことで、通常の床材を敷設する場合と同様に敷設作業を行うことができる。
【００１３】
こういった配線保持部材としては、請求項２に記載された床暖房用周辺パネルのように、前記配線収容溝の幅方向内側に張り出して、前記配線収容溝に収容された配線を保持する鍔部を備えているものや、請求項３に記載された床暖房用周辺パネルのように、前記配線収容溝に配線が収容された状態で、前記配線収容溝を閉塞する蓋部材を備えているものを採用することができる。
【００１４】
また、上記の課題を解決するため、請求項４に係る発明は、電気ヒータが内蔵された床暖房パネルを敷設することによって形成される床暖房エリアの周辺部に敷設される床暖房用周辺パネルにおいて、前記床暖房エリアから外側に引き出される前記床暖房パネルからの配線を収容する配線収容溝がパネル基材の裏面に形成されており、前記配線収容溝には、前記配線を前記パネル基材の裏面側から収容可能な配線保持部材が装着されており、前記パネル基材の裏面には、その全面を覆うように、緩衝材が貼着されており、前記緩衝材には、前記配線収容溝に対応する部分に前記配線収容溝に沿って、スリットが形成されていることを特徴とする床暖房用周辺パネルを提供するものであり、前記配線保持部材としては、請求項５に係る発明の床暖房用周辺パネルのように、前記配線収容溝の幅方向内側に張り出して、前記配線収容溝に収容された配線を保持する鍔部を備えているものを採用することができる。
【００１５】
【発明の実施の形態】
以下、実施の形態について図面を参照して説明する。図１及び図２に示す床暖房用周辺パネル１は、電気ヒータが内蔵された、直貼工法用の床暖房パネルをコンクリートスラブ上に直接敷設することによって形成される床暖房エリアの周辺部に敷設される直貼工法用の床暖房用周辺パネルであり、床暖房パネルに内蔵された電気ヒータを壁面に取り付けられたコントローラ等に接続するため、床暖房エリアから壁際まで導かれるヒータ用中継ケーブル等の配線Ｌを収容するための配線収容溝１１ａを有するパネル本体１０と、このパネル本体１０の配線収容溝１１ａに装着される配線保持部材２０とから構成されている。
【００１６】
前記パネル本体１０は、３プライ合板または５プライ合板等の木質板からなるパネル基材１１と、このパネル基材１１の表面側に貼着された突板等からなる表面化粧材１２と、パネル基材１１の裏面側に貼着されたクッション性の良好な緩衝材１３とから構成されており、前記パネル基材１１の裏面には、図４（ａ）〜（ｉ）に示すような種々のバリエーションで、短手方向や長手方向にパネル基材１１を横断する１または複数の配線収容溝１１ａが形成されている。なお、緩衝材１３は、図２に示すように、配線収容溝１１ａが形成された部分は切除されている。
【００１７】
前記配線保持部材２０は、図１及び図３に示すように、下端部がパネル基材１１から僅かに突出するような状態で配線収容溝１１ａに嵌着（装着）される断面門型形状の本体部２１と、この本体部２１の下端縁から配線収容溝１１ａの幅方向内側にそれぞれ張り出す鍔部２２とから構成されており、前記鍔部２２は、図５に示すように、その先端側が僅かに上方に傾斜した状態となっている。
【００１８】
この配線保持部材２０は、アクリロニトリルブタジエンスチレン共重合体（以下、ＡＢＳという。）等の熱可塑性プラスチックによって形成されており、本体部２１は、配線収容溝１１ａを形成することに伴うパネル基材１１の強度低下を補うためにある程度の剛性を備えているが、鍔部２２は適度な可撓性を備えている。
【００１９】
以上のように構成された床暖房用周辺パネル１をコンクリートスラブ上に敷設する際は、まず、図５（ａ）に示すように、床暖房エリアに敷設された床暖房パネルからの配線（ＶＶＦケーブル等）Ｌを、その幅方向の一側側を両鍔部２２の間から本体部２１内に嵌め込み、同図に矢印で示すように、片側の鍔部２２を上方に撓ませるようにして配線Ｌの他側側を押し込むと、同図（ｂ）に示すように、配線Ｌが本体部２１内に完全に収容され、一旦収容された配線Ｌは両鍔部２２の存在によって、本体部２１から容易に脱落しないような状態になっている。そして、このように配線Ｌが配線保持部材２０によって配線収容溝１１ａ内に収容保持された状態で、床暖房用周辺パネル１をコンクリートスラブ上に敷設する。
【００２０】
図６ないし図８は他の実施形態を示している。この床暖房用周辺パネル２は、配線保持部材３０の構成が上述した床暖房用周辺パネル１の配線保持部材２０と異なっているだけなので、同一の構成要素には同一符号を付してその説明を省略し、異なる構成要素である配線保持部材３０について詳しく説明する。
【００２１】
この配線保持部材３０は、ＡＢＳ等の熱可塑性プラスチックによって形成されており、図６及び図７に示すように、下端部がパネル基材１１から突出するような状態で配線収容溝１１ａに嵌着される断面門型形状の本体部３１と、この本体部３１の下端部を閉塞することによって、実質的に配線収容溝１１ａを閉塞する蓋部材３２とから構成されている。
【００２２】
蓋部材３２には、図７及び図８に示すように、本体部３１に嵌り込む鍔部３３を備えており、この鍔部３３及び本体部３１には、相互に嵌合する凹部３３ａ、３１ａ及び凸部３３ｂ、３１ｂがそれぞれ形成されている。従って、図８（ａ）に示すように、本体部３１内に配線Ｌを収容した後、蓋部材３２の鍔部３３を本体部３１に嵌め込むと、凹部３３ａ、３１ａと凸部３１ｂ、３３ｂとが相互に嵌合して蓋部材３２が本体部３１に固定され、配線Ｌが本体部３１内（配線収容溝１１ａ内）に収容された状態で保持される。
【００２３】
以上のように構成された床暖房用周辺パネル１、２では、ヒータ用中継ケーブル等の配線Ｌを配線保持部材２０、３０によって、パネル基材１１の配線収容溝１１ａに収容、保持した状態で、敷設することができるので、配線Ｌをほとんど意識することなく、通常の床材をコンクリートスラブ上に敷設する場合と同様に敷設作業を行うことができる。
【００２４】
特に、床暖房用周辺パネル１，２にこういった配線収容溝１１ａを形成しておくことによって、コンクリートスラブ上に直接床暖房パネルを敷設する直貼工法が可能となり、従来のように、ころばし根太や捨貼合板等によって構成される床下地を形成する場合に比べて、床の仕上げ高さを低くすることができるという効果がある。
【００２５】
なお、上述した各実施形態では、配線収容溝１１ａに配線保持部材２０、３０を装着しているが、配線保持部材２０、３０は必ずしも設ける必要はない。但し、配線保持部材２０、３０を設けることによって、さらに床暖房フロアの施工性が向上することは上述したとおりである。
【００２６】
また、上述した各実施形態では、配線保持部材２０、３０がパネル基材１１から僅かに突出しているが、パネル基材１１の厚みを十分に確保することができる場合は、図９に示すように、配線保持部材２０等がパネル基材１１から突出しないように、装着することも可能である。その場合は、上述したように、配線収容溝１１ａ部分の緩衝材１３を切除する必要はなく、同図に示すように、パネルの裏面側から配線Ｌを収容できるように、スリット１３ａを形成しておけばよい。
【００２７】
また、上述した各実施形態では、直貼工法用の床暖房用周辺パネルについて説明したが、本発明の床暖房用周辺パネルは、直貼工法用のパネルに限定されるものではなく、図１０に示すように、緩衝材がなく、表面化粧材１２が積層されたパネル基材１１のみによって形成されている捨貼工法用の床暖房用周辺パネル３について適用することも可能である。このように、捨貼工法用の床暖房用周辺パネル３に配線収容溝１１ａを形成し、この配線収容溝１１ａに配線保持部材２０等を装着しておくと、床下に十分な作業空間が確保できない場合でも、捨貼合板等に配線溝を形成することなく、効率よく床暖房フロアを施工することが可能となる。
【００２８】
また、上述した各実施形態では、パネル基材１１の裏面に形成された配線収容溝１１ａの全長にわたって、上述したような配線保持部材２０、３０を装着する構成を採用しているが、必ずしも、配線収容溝１１ａの全長にわたって配線保持部材２０、３０を装着する必要はなく、収容された配線Ｌが脱落しないようであれば、部分的に配線保持部材２０、３０を設けることも可能である。
【００２９】
また、上述した各実施形態では、配線保持部材２０、３０の本体部２１、３１に対してその全長にわたって、鍔部２２や蓋部材３２を設ける構成を採用しているが、上述したように、収容された配線Ｌが脱落しないようであれば、部分的に鍔部２２や蓋部材３２を設ける構成を採用することも可能である。
【００３０】
また、図４（ｂ）〜（ｅ）に示すように、複数の配線収容溝１１ａが相互に交差する場合、配線Ｌを収容する際の作業性を考慮すると、その交差部分を湾曲させておくことが望ましい。
【００３１】
また、上述した各実施形態では、本体部２１、３１を有する配線保持部材２０、３０について説明したが、必ずしも本体部２１、３１は必要なわけではなく、配線収容溝１１ａの両側縁から幅方向の内側に張り出す鍔部のみを設けたり、配線収容溝１１ａを直接閉塞する蓋部材のみによって配線保持部材を構成することも可能である。
【００３２】
また、上述した各実施形態では、熱可塑性プラスチックによって形成された配線保持部材２０、３０を使用する場合について説明したが、配線保持部材２０、３０は金属等の種々の素材によって形成することが可能である。
【図面の簡単な説明】
【図１】この発明にかかる床暖房用周辺パネルの一実施形態を示す断面図である。
【図２】同上の床暖房用周辺パネルを示す分解断面図である。
【図３】同上の床暖房用周辺パネルの配線保持部材を示す斜視図である。
【図４】（ａ）〜（ｉ）は、同上の床暖房用周辺パネルにおける配線収容溝の形成パターンを示すパターン図である。
【図５】同上の床暖房用周辺パネルにおける配線保持部材に対する配線の収容作業を説明するための説明図である。
【図６】この発明にかかる床暖房用周辺パネルの他の実施形態を示す断面図である。
【図７】同上の床暖房用周辺パネルの配線保持部材を示す斜視図である。
【図８】同上の床暖房用周辺パネルにおける配線保持部材に対する配線の収容作業を説明するための説明図である。
【図９】図１に示す床暖房用周辺パネルの変形例を示す断面図である。
【図１０】この発明にかかる床暖房用周辺パネルの他の実施形態を示す断面図である。
【図１１】背景技術を説明するための床暖房フロアの断面図である。
【図１２】他の背景技術を説明するための床暖房フロアの断面図である。
【符号の説明】
１、２、３  床暖房用周辺パネル
１０  パネル本体
１１  パネル基材
１１ａ  配線収容溝
１３  緩衝材
２０、３０  配線保持部材
２１、３１  本体部
２２  鍔部
３２  蓋部材
Ｌ  配線
【図１】
0004073102.tif 000002
【図２】
0004073102.tif 000003
【図３】
0004073102.tif 000004
【図４】
0004073102.tif 000005
【図５】
0004073102.tif 000006
【図６】
0004073102.tif 000007
【図７】
0004073102.tif 000008
【図８】
0004073102.tif 000009
【図９】
0004073102.tif 000010
【図１０】
0004073102.tif 000011
【図１１】
0004073102.tif 000012
【図１２】
0004073102.tif 000013